(57)【要約】【課題】Bluetooth方式等による無線通信の送信側において、Ａ２ＤＰのように楽曲の音声データしか送信されない場合でも、受信側において楽曲の音声を出力しつつ楽曲のメタデータを取得して表示することができる音声出力装置及び音声出力方法を提供する。【解決手段】音声出力装置２は、音声データ送信装置１からＡ２ＤＰにより楽曲の音声データ１０を受信し、音声データ１０による楽曲の音声をスピーカ３から出力しつつ、音声データ１０の最初の数秒間の音声波形データ１１を用いて楽曲情報問い合わせデータベース４からメタデータ１２を取得し、表示装置５にメタデータ１２を表示する。メタデータの取得は、音声データ１０の無音区間を検出したときか、ユーザによる入力装置６の操作により行う。これにより、楽曲の音声データしか送信されない場合でも受信側でメタデータを取得して表示できる。【選択図】図１
2008282348.tif 000002
【特許請求の範囲】
【請求項１】
他の装置から無線通信により楽曲の音声データを受信する音声データ受信手段と、
前記音声データ受信手段が受信した前記音声データによる前記楽曲の音声を出力する出力手段と、
前記楽曲の前記音声データの音声波形データと前記楽曲に関する楽曲情報とが対応付けて記憶されているデータベースから、前記音声データ受信手段が受信した前記音声データに対応する前記楽曲情報を受信する楽曲情報受信手段と、
前記楽曲情報受信手段が受信した前記楽曲情報を表示する表示手段と
を備えた音声出力装置。
【請求項２】
前記楽曲情報受信手段は、前記音声データ受信手段が受信した前記音声データの信号レベルが閾値以下から前記閾値を超えるときに、前記データベースから、前記閾値を超える信号レベルである前記音声データに対応する前記楽曲情報を受信する、請求項１に記載の音声出力装置。
【請求項３】
前記楽曲情報受信手段は、前記他の装置から前記楽曲の変更に関する情報を受信したときに、前記データベースから、前記楽曲の変更に関する情報を受信した後に前記音声データ受信手段が受信した前記音声データに対応する前記楽曲情報を受信する、請求項１に記載の音声出力装置。
【請求項４】
前記楽曲情報を受信するためのユーザの操作の入力を受ける操作手段をさらに備え、
前記楽曲情報受信手段は、前記操作手段がユーザにより操作されたときに、前記データベースから前記楽曲情報を受信する、請求項１〜３のいずれか１項に記載の音声出力装置。
【請求項５】
前記受信手段が受信した前記音声データの前記音声波形データを記録する音声波形データ記録手段をさらに備え、
前記楽曲情報受信手段は、前記操作手段がユーザにより操作される以前に、前記音声波形データ記録手段に記録されていた前記音声波形データに対応する前記楽曲情報を受信する、請求項４に記載の音声出力装置。
【請求項６】
前記受信手段が受信した前記音声データの前記音声波形データと、前記楽曲情報受信手段が前記データベースから受信した前記音声波形データに対応する前記楽曲情報とを対応付けて記録する楽曲情報記録手段をさらに備え、
前記表示手段は、前記楽曲情報記録手段に前記受信手段が受信した前記音声データの前記音声波形データと、前記音声波形データに対応する前記楽曲情報とが記録されているときは、前記楽曲情報記録手段に記録された前記楽曲情報を表示する、請求項１〜５のいずれか１項に記載の音声出力装置。
【請求項７】
音声データ受信手段が、他の装置から無線通信により楽曲の音声データを受信し、出力手段が、前記音声データ受信手段が受信した前記音声データによる前記楽曲の音声を出力し、楽曲情報受信手段が、前記楽曲の前記音声データの前記音声波形データと前記楽曲に関する楽曲情報とが対応付けて記憶されているデータベースから、前記音声データ受信手段が受信した前記音声データに対応する前記楽曲情報を受信し、表示手段が、前記楽曲情報受信手段が受信した前記楽曲情報を表示する音声出力方法。
【発明の詳細な説明】
【技術分野】
【０００１】
本発明は音声出力装置及び音声出力方法に関し、特に、他の装置から無線通信により楽曲の音声データを受信し、音声データによる楽曲の音声を出力する音声出力装置及び音声出力方法に関するものである。
【背景技術】
【０００２】
特許文献１には、パーソナルコンピュータ等のインターネットに接続可能な音楽再生装置において、楽曲の波形の特徴から作成したキーを用いることで、ストリーミングデータやアナログ音源から録音した音楽データに対して、ユーザがアルバム名やトラック名等を識別するための楽曲情報（メタデータ）を提供する技術が開示されている。
【特許文献１】特開２００５−２０８８７５号公報
【発明の開示】
【発明が解決しようとする課題】
【０００３】
ところで、昨今、Bluetooth（登録商標）方式等の近距離無線技術の普及に伴って、Bluetooth方式による通信機能を備えた、例えばオーディオプレーヤのような装置で再生される音楽の音声データをＡ２ＤＰ（Advanced  Audio  Distribution  Profile）というプロファイルの送信側の機能を用いて送信し、例えばワイヤレススピーカやホームオーディオやカーナビゲーションシステムのような装置で音声データをＡ２ＤＰの受信側の機能を用いて受信して、当該音声データによる音楽の音声を出力することが行われている。しかしながら、Ａ２ＤＰでは、楽曲の音声データは送信されるが、楽曲のメタデータは送信されない。そのため、Ａ２ＤＰの機能を用いて楽曲の音声データを送受信して、当該音声データによる楽曲の音声を出力するにあたり、楽曲のメタデータの取得を行うことが望まれている。
【０００４】
本発明は、かかる事情に鑑みてなされたものであり、その目的は、Bluetooth方式等による無線通信の送信側において、Ａ２ＤＰのように楽曲の音声データしか送信されない場合でも、受信側において楽曲の音声を出力しつつ楽曲のメタデータを取得して表示することができる音声出力装置及び音声出力方法を提供することにある。
【課題を解決するための手段】
【０００５】
本発明は、他の装置から無線通信により楽曲の音声データを受信する音声データ受信手段と、音声データ受信手段が受信した音声データによる楽曲の音声を出力する出力手段と、楽曲の音声データの音声波形データと楽曲に関する楽曲情報とが対応付けて記憶されているデータベースから、音声データ受信手段が受信した音声データに対応する楽曲情報を受信する楽曲情報受信手段と、楽曲情報受信手段が受信した楽曲情報を表示する表示手段とを備えた音声出力装置である。
【０００６】
また、本発明は、音声データ受信手段が、他の装置から無線通信により楽曲の音声データを受信し、出力手段が、音声データ受信手段が受信した音声データによる楽曲の音声を出力し、楽曲情報受信手段が、楽曲の音声データの音声波形データと楽曲に関する楽曲情報とが対応付けて記憶されているデータベースから、音声データ受信手段が受信した音声データに対応する楽曲情報を受信し、表示手段が、楽曲情報受信手段が受信した楽曲情報を表示する音声出力方法である。
【発明の効果】
【０００７】
本発明の音声出力装置及び音声出力方法によれば、Bluetooth方式等による無線通信の送信側において、Ａ２ＤＰのように楽曲の音声データしか送信されない場合でも、受信側において楽曲の音声を出力しつつ楽曲のメタデータを取得して表示することができる。
【発明を実施するための最良の形態】
【０００８】
以下、本発明の実施の形態に係る音声出力装置及び音声出力方法について添付図面を参照して説明する。
【０００９】
図１は、本発明の第１実施形態に係る音声出力システムのハードウェアの構成を示す図である。図１に示すように、本実施形態の音声出力システムは、音声データ送信装置１、音声出力装置２、及び楽曲情報問い合わせデータベース４からなり、Bluetooth方式による通信機能を備えた音声データ送信装置１で再生される楽曲の音声データをＡ２ＤＰの送信側の機能を用いて送信し、音声出力装置２で音声データをＡ２ＤＰの受信側の機能を用いて受信して、当該音声データによる楽曲の音声を出力するためのものである。
【００１０】
音声データ送信装置（Ａ２ＤＰ−ＳＲＣ）１は、Bluetoothによる通信機能を備えた、例えばオーディオプレーヤのような装置であり、オーディオプレーヤで再生される音楽に関する音声データ１０を、Ａ２ＤＰの音楽ストリーミング機能における音楽の送信側（ＳＯＵＲＣＥ）の機能を用いて送信するものである。
【００１１】
音声出力装置（Ａ２ＤＰ−ＳＮＫ）２は、Bluetoothによる通信機能を備えた、例えばワイヤレススピーカやホームオーディオやカーナビゲーションシステムのような装置であり、音声データ送信装置１からＡ２ＤＰにて送信されてくるストリーミングによる音楽の音声データ１０を受信側（ＳＩＮＫ）の機能を用いて受信し、楽曲の音声出力を行うことによって音楽再生をするものである。
【００１２】
音声出力装置２は、スピーカ３、表示装置５、入力装置６及び不図示のBluetooth方式によるデータの送受信を行うための送受信機を備えている。スピーカ３は、楽曲の音声出力を行うためのものである。表示装置５は、例えば、ＬＣＤ（Liquid  Crystal  Display）パネルのようなものであり、現在再生されている楽曲に関するアルバム名、アーティスト名、曲のタイトルといったメタデータを表示するためのものである。入力装置６は、ユーザが現在再生されている楽曲のメタデータ取得処理を起動させるための操作を入力するためのものである。
【００１３】
楽曲情報問い合わせデータベース４は、楽曲の音声波形データと楽曲に関する楽曲情報とが対応付けて記憶されているものである。なお、楽曲情報問い合わせデータベース４は、音声出力装置２に内蔵されたＨＤＤ（Hard  Disk  Drive）のような記憶装置に蓄積されたデータベースとして存在しても良いし、インターネット等の通信手段によりアクセスが可能な場所に蓄積されたデータベースとして存在しても良い。
【００１４】
以下、本実施形態の音声出力装置２の機能ブロックの構成について説明する。図２は、第１実施形態に係る音声出力装置の機能ブロックを示す図である。図２に示すように、本実施形態の音声出力装置２は、音声データ受信部３１、音声出力部３２、メタデータ受信部３３、メタデータ表示部３４、音声波形データ記録部３５、及びユーザ操作入力部３６を備えている。
【００１５】
音声データ受信部３１は、音声データ送信装置１からのＡ２ＤＰに基づいた楽曲の音声データ１０を受信するためのものである。音声データ受信部３１は、音声データ受信手段として機能する。音声出力部３２は、音声データ１０による楽曲の音声を出力するためのものである。音声出力部３２は出力手段として機能する。
【００１６】
メタデータ受信部３３は、楽曲情報問い合わせデータベース４から、音声データ受信部３１が受信した音声データ１０に対応するメタデータ１２を受信するためのものである。メタデータ受信部３３は楽曲情報受信手段として機能する。メタデータ表示部３４は、メタデータ受信部３３が受信したメタデータを表示装置５に表示するためのものである。メタデータ表示部３４は表示手段として機能する。
【００１７】
音声波形データ記録部３５は、音声データ受信部３１が受信した音声データの一部を記録するためのものである。音声波形データ記録部３５は、音声波形データ記録手段として機能する。ユーザ操作入力部３６は、ユーザの入力装置６に対する操作により、メタデータ受信部３３にメタデータ１２を受信するための処理を開始させるためのものである。ユーザ操作入力部３６は、操作手段として機能する。
【００１８】
以下、本実施形態の音声出力装置２の動作について説明する。音声出力装置２では、音声データ送信装置１からストリーミングで送信されてくる音楽を受信して再生することが可能であるが、上述したように音声データ送信装置１からは現在再生されている楽曲に関する、アルバム名、アーティスト名、曲のタイトルといったメタデータは送信されない。
【００１９】
そこで、本実施形態の音声出力装置２では、メタデータ受信部３３が、音声データ送信装置１からＡ２ＤＰによりストリーミング送信されてくる楽曲の音声データ１０における最初の数秒間の音声波形データ１１を用いて、楽曲情報問い合わせデータベース４からその音声波形データ１１の楽曲に相当するメタデータ１２を取得し、表示装置５にアルバム名、アーティスト名、曲のタイトルといった情報表示を行うことが可能となる。
【００２０】
次に、図３を参照して、ストリーミング送信されてくる楽曲における最初の数秒間の波形データを認識する際の方法について説明する。音声データ送信装置１からストリーミングで送信されてくる楽曲の音声データには、楽曲の区切りを示すための情報は付加されていない。
【００２１】
そのため、音声データ送信装置１で現在再生されている楽曲が終了し、次の楽曲が再生され始めたとしても、そのままでは音声出力装置２では、楽曲が変更になったことを知る事が出来ないため、表示装置５に表示されるメタデータと現在ストリーミングで再生されている楽曲との不一致が発生してしまう可能性がある。
【００２２】
よって、本実施形態の音声出力装置２では、最初に、ストリーミングで楽曲１の音声データｍ１の受信を開始したタイミング２１にて音声データ受信部３１が数秒間の音声データを取得し、メタデータ受信部３３が当該数秒間の音声データに係る音声波形データにより楽曲情報問い合わせデータベース４からメタデータの取得を行う。これにより楽曲１のメタデータ１２が取得される。
【００２３】
次に、音声出力装置２では、楽曲１の終了のタイミング２２にて、メタデータ受信部３３が、信号レベルが所定の閾値以下である無音の音楽データの受信開始を認識する。さらに、次の楽曲２の音声データｍ２が送信され始めて、メタデータ受信部３３が、信号レベルが所定の閾値を超えている無音ではない音声データｍ２の受信開始を認識した際、無音の音声データを受信している時間である無音区間２６がある特定の時間（例えば1秒）以上であったと認識した場合には、メタデータ受信部３３は、楽曲２の音声データｍ２が送信され始めたと認識する。
【００２４】
音声データ受信部３１がタイミング２３からの数秒間の音声データを取得して、メタデータ受信部３３が当該数秒間の音声データに係る音声波形データにより楽曲情報問い合わせデータベース４からのメタデータ１２の取得を行うことで楽曲２のメタデータが取得される。同様にして、タイミング２４とタイミング２５との部分で無音の音声データを受信している時間である無音区間２６がある特定の時間以上であったと認識した場合には、楽曲３のメタデータが取得される。
【００２５】
また、本実施形態の音声出力装置２では、ユーザが入力装置６を操作することにより、ユーザ操作入力部３６が、メタデータ受信部３３に現在再生されている楽曲のメタデータ取得処理を起動させることが出来る。これにより、楽曲の切り替わりに十分な無音部分が無い場合で楽曲の切り替わりを自動的に認識する事が出来ずにメタデータの表示が異なってしまうような場合においても、ユーザが自発的にメタデータの更新を行うことが可能となる。
【００２６】
この場合において、音声波形データ記録部３５は現在より数秒間前の音声波形データを常に記録している。そして、ユーザが入力装置６を操作したときには、メタデータ受信部３３は、それまで音声波形データ記録部３５に記録されていた音声波形データに対応するメタデータを楽曲情報問い合わせデータベース４から取得する。そのため、ユーザによる入力装置６の操作後に、音声データ受信部３１が新たに音声データを取得する時間を省くことができ、メタデータの表示速度を向上させることができる。
【００２７】
本実施形態によれば、メタデータ受信部３３が、音声データ受信部３１が受信している音声波形データに対応するメタデータを楽曲情報問い合わせデータベース４から取得するため、音声波形データの送信を行う側から楽曲に関するメタデータが送信されない場合でも、音声波形データの受信を行う側において現在再生されている楽曲に関するメタデータの表示を行うことが可能となり、ユーザの利便性が高まる。また、本実施形態によれば、送信側でメタデータを保持する必要がなくなる。
【００２８】
なお、音声データ送信装置１からＡ２ＤＰにより送信され、音声出力装置２で受信して再生される楽曲が、例えばＴＶ放送、ＦＭラジオ、ＡＭラジオ、ワンセグ等のような放送のコンテンツの一部として提供されているものが再生されている場合においても、本実施形態の音声出力装置２は適用可能である。
【００２９】
以下、本発明の第２実施形態について説明する。図４は、本発明の第２実施形態に係る音声出力システムの構成を示す図である。本実施形態では、基本的には図１に示す第１実施形態と同じ構成となっているが、図４に示すように、音声データ送信装置１と音声出力装置２との間に、ＡＶＲＣＰ（Audio  Video  Remote  Control  Profile）と呼ばれる、リモートコントロールにより音楽再生の制御を可能とするBluetoothの規格で定められた機能を実現するための制御用リンク７が張られている。
【００３０】
このＡＶＲＣＰでは、Play，Stop，Pause，Forward，Backwardといった再生制御のための制御コマンドを送受信可能であるが、それ以外にも、このＡＶＲＣＰを用いて、音声データ送信装置１側における再生する楽曲の変化を音声出力装置２側に通知させる機能も使用することが可能である。
【００３１】
以下、本実施形態における具体的な動作について説明する。図５のシーケンス例に示すように、まず音声出力装置２から楽曲変更通知予約コマンドが発行され（Ｓ４１）、そのコマンドに対し、音声データ送信装置１は、楽曲変更通知予約コマンドを受領し楽曲変更通知予約が登録されたことを示す楽曲変更通知予約受付応答を返す（Ｓ４２）。
【００３２】
その後、ユーザの操作や現在再生中の楽曲が終了して別の楽曲に切り替わるイベントが音声データ送信装置１内で発生した際に（Ｓ４３）、音声出力装置２に対して楽曲変更通知が行われる（Ｓ４４）。これにより、音声出力装置２では楽曲が変更になったことが判断できるだめ、このタイミングにて変更後の楽曲の音声波形データ１１を用いてメタデータ取得を行うことが出来る（Ｓ４５）。なお、次の楽曲の変更通知を行うためには、再度（Ｓ４１）からのシーケンスを繰り返すことになる。
【００３３】
本実施形態では、音声出力装置２側で、音声データ送信装置１から楽曲の変更通知を受けて楽曲の変更を確実に検出する事が可能となるため、楽曲間の切れ目を誤認識することなく、より精度の高いメタデータの取得をユーザの介在無しに行うことが可能となる。そのため、本実施形態では、現在再生されている楽曲のメタデータの表示の精度を向上させる事が可能となる。
【００３４】
以下、本発明の第３実施形態について説明する。図６に示すように、本実施形態では、音声出力装置２は、音声データ受信部３１が受信し、メタデータ１２の取得のために用いた音声波形データ１１と、メタデータ受信部３３が楽曲情報問い合わせデータベース４から一度受信した音声波形データ１１に対応するメタデータ１２とを対応付けて記録する記憶装置８を備えている。記憶装置８は、楽曲情報記録手段として機能する。
【００３５】
本実施形態では、音声データ送信装置１が一度再生して音声出力装置２がメタデータを取得した楽曲について、当該音声波形データ１１とメタデータ１２とを音声出力装置２の記憶装置８に蓄積する。そして、音声出力装置２のメタデータ受信部３３は、楽曲情報問い合わせデータベース４に問い合わせを行う前に、記憶装置８に蓄積された音声波形データ１１中に、音声データ受信部３１が現在受信している音声データ１０と一致する音声波形データ１１が無いかを照合し、一致する音声波形データ１１が見つかった場合にはその音声波形データ１１に対応付けられて記憶装置８に保存されているメタデータ１２をその楽曲のメタデータとして表示装置５に表示させる。
【００３６】
本実施形態によれば、楽曲の変更が行われる度に、一度再生した楽曲を再度再生する場合においては、楽曲情報問い合わせデータベース４にアクセスする必要がないため、携帯電話でのダイアルアップ接続等によりデータベースへのアクセスが必要な構成の場合においても通信コストが削減され、ダイアルアップ接続を行うための手続き等に要する時間を低減することができる。すなわち、本実施形態によれば、一度再生して表示されたメタデータを蓄積する記憶装置８により、同じ楽曲に対しては、再度楽曲情報問い合わせデータベース４にアクセスすることなくメタデータの表示を行うことが可能となり、通信コストの削減、メタデータ表示速度の向上が可能となる。
【００３７】
以上、本発明の実施の形態について説明したが、本発明は、上記実施形態に限定されるものではなく種々の変形が可能である。
【図面の簡単な説明】
【００３８】
【図１】第１実施形態に係る音声出力システムのハードウェアの構成を示す図である。
【図２】第１実施形態に係る音声出力装置の機能ブロックを示す図である。
【図３】ストリーミング送信される楽曲データの構成を示す図である。
【図４】第２実施形態に係る音声出力システムの構成を示す図である。
【図５】第２実施形態に係る楽曲の変更を通知する動作を示すシーケンス図である。
【図６】第３実施形態に係る音声出力システムの構成を示す図である。
【符号の説明】
【００３９】
１…音声波形データ送信装置、２…音声出力装置、３…スピーカ、４…楽曲情報問い合わせデータベース、５…表示装置、６…入力装置、７…制御用リンク、８…記憶装置、１０…音声データ、
、１１…音声波形データ、１２…メタデータ、２１，２２，２３，２４，２５…タイミング、２６…無音区間、３１…音声データ受信部、３２…音声出力部、３３…メタデータ受信部、３４…メタデータ表示部、３５…音声波形データ記録部、３６…ユーザ操作入力部、ｍ１，ｍ２，ｍ３…音声データ。
【図１】
2008282348.tif 000003
【図２】
2008282348.tif 000004
【図３】
2008282348.tif 000005
【図４】
2008282348.tif 000006
【図５】
2008282348.tif 000007
【図６】
2008282348.tif 000008